(57)【特許請求の範囲】
【請求項１】
相互に通信可能に構成された、給湯装置及び該給湯装置を遠隔操作するリモコン装置からなる遠隔操作システムにおいて、
前記給湯装置は、該給湯装置のエネルギー消費レベルを算出するエネルギー消費レベル算出手段と、該給湯装置の運転中の第１の所定時点において、該第１の所定時点における該給湯装置のエネルギー消費レベルを示すエネルギー消費監視データを、前記リモコン装置に送信する消費レベル監視手段を備え、
前記リモコン装置は、鳴動手段と、前記エネルギー消費監視データを受信したときに、予めエネルギー消費レベルに応じて複数段階に設定された該鳴動手段の出力態様のうちの、該エネルギー消費監視データから把握されるエネルギー消費レベルに対応した段階の出力態様で、該鳴動手段を鳴動させる消費レベル報知手段とを備えて、
前記第１の所定時点は、前記給湯装置が運転を開始してから第１の所定時間が経過する毎であり、
前記消費レベル監視手段は、直近の前記第１の所定時間中に前記給湯装置により消費されたエネルギーの総量を示すデータと、直近の前記第１の所定時間の経過時における単位時間あたりの前記給湯装置のエネルギー消費量を示すデータと、直近の前記第１の所定時間中における単位時間あたりの前記給湯装置のエネルギー消費量の平均値を示すデータと、前記給湯装置の運転開始時から直近の前記第１の所定時間の経過時までの間に、前記給湯装置により消費されたエネルギーの総量を示すデータと、前記給湯装置の運転開始時から直近の前記第１の所定時間の経過時までの間における単位時間あたりの前記給湯装置のエネルギー消費量の平均値を示すデータとのうちの、少なくともいずれか一つのデータを前記エネルギー消費監視データとして、前記リモコン装置に送信し、
前記給湯装置は、浴槽に所定量の湯を供給する湯張り運転を実行する機能を有し、前記湯張り運転の実行中は、前記消費レベル報知手段による前記鳴動手段の鳴動を禁止する消費レベル報知禁止手段をさらに備えたことを特徴とする遠隔操作システム。
【請求項２】
前記リモコン装置は、使用者の操作に応じて、前記鳴動手段の音量を変更する音量変更手段を備えたことを特徴とする請求項１記載の遠隔操作システム。
【請求項３】
前記リモコン装置を複数個備え、各リモコン装置に前記音量変更手段を備えたことを特徴とする請求項２記載の遠隔操作システム。
【発明の詳細な説明】
【技術分野】
【０００１】
本発明は、リモコン装置により機器本体を遠隔操作するシステムに関し、特に機器本体におけるエネルギー消費量の低減の促進に関する。
【背景技術】
【０００２】
従来より、例えば給湯装置を遠隔操作するリモコン装置において、エネルギー（ガス、灯油、電気）の使用量、エネルギー使用料金、水道使用量、水道料金等をリモコン装置の表示部に表示するようにしたものが知られている（例えば、特許文献１参照）。
【０００３】
かかるリモコン装置によれば、使用者はエネルギーの使用量や水道の使用量をリモコン装置の表示部を視認して確認することができる。そして、これにより、使用者の省エネ意識を高め、エネルギー使用量や水道使用量の低減を図っている。
【０００４】
しかし、このように、リモコンにエネルギーの消費量等を表示しても、使用者の省エネ意識が低く、リモコン装置の表示部を視認しなければエネルギー使用量等の低減の効果が得られないという不都合があった。
【特許文献１】特開平１１−１９４０３５号公報
【発明の開示】
【発明が解決しようとする課題】
【０００５】
本発明は上記不都合を解消し、使用者の省エネ意識を高めて、機器本体のエネルギー消費量の低減を促進することができる遠隔操作システムを提供することを目的とする。
【課題を解決するための手段】
【０００６】
本発明は上記目的を達成するためになされたものであり、相互に通信可能に構成された、給湯装置及び該給湯装置を遠隔操作するリモコン装置からなる遠隔操作システムにおいて、前記給湯装置は、該給湯装置のエネルギー消費レベルを算出するエネルギー消費レベル算出手段と、該給湯装置の運転中の第１の所定時点において、該第１の所定時点における該給湯装置のエネルギー消費レベルを示すエネルギー消費監視データを、前記リモコン装置に送信する消費レベル監視手段を備え、前記リモコン装置は、鳴動手段と、前記エネルギー消費監視データを受信したときに、予めエネルギー消費レベルに応じて複数段階に設定された該鳴動手段の出力態様のうちの、該エネルギー消費監視データから把握されるエネルギー消費レベルに対応した段階の出力態様で、該鳴動手段を鳴動させる消費レベル報知手段とを備えて、前記第１の所定時点は、前記給湯装置が運転を開始してから第１の所定時間が経過する毎であり、前記消費レベル監視手段は、直近の前記第１の所定時間中に前記給湯装置により消費されたエネルギーの総量を示すデータと、直近の前記第１の所定時間の経過時における単位時間あたりの前記給湯装置のエネルギー消費量を示すデータと、直近の前記第１の所定時間中における単位時間あたりの前記給湯装置のエネルギー消費量の平均値を示すデータと、前記給湯装置の運転開始時から直近の前記第１の所定時間の経過時までの間に、前記給湯装置により消費されたエネルギーの総量を示すデータと、前記給湯装置の運転開始時から直近の前記第１の所定時間の経過時までの間における単位時間あたりの前記給湯装置のエネルギー消費量の平均値を示すデータとのうちの、少なくともいずれか一つのデータを前記エネルギー消費監視データとして、前記リモコン装置に送信し、前記給湯装置は、浴槽に所定量の湯を供給する湯張り運転を実行する機能を有し、前記湯張り運転の実行中は、前記消費レベル報知手段による前記鳴動手段の鳴動を禁止する消費レベル報知禁止手段をさらに備えたことを特徴とする。
【０００７】
かかる本発明によれば、前記リモコン装置は、前記機器本体から送信される前記エネルギー消費監視データを受信したときに、該エネルギー消費監視データから把握されるエネルギー消費レベルに応じた出力態様で、前記鳴動手段を鳴動させる。そのため、使用者に対して、前記鳴動手段の鳴動音の出力態様の相違により、前記機器本体のエネルギー消費レベルをリアルタイムに認識させることができる。そして、これにより、表示手段にエネルギー消費レベルを表示する場合のように、使用者に対して表示手段を視認するという積極的な意思を要求することなく、聴覚を通じて半ば強制的にエネルギー消費レベルを認識させることができる。そのため、省エネに対して消極的であった使用者に対して、省エネ意識を高めて前記機器本体のエネルギー消費レベルの低減を促進することができる。
【０００９】
また、本発明によれば、前記機器本体が運転を開始してから前記第１の所定時間が経過する毎に、前記機器本体から前記リモコン装置に対して前記エネルギー消費監視データが送信され、前記リモコン装置により、前記エネルギー消費監視データから把握されるエネルギー消費レベルに応じた出力態様で、前記鳴動手段が鳴動される。そのため、使用者に対して、前記機器本体のエネルギー消費レベルの変化を速やかに認識させることができ、より一層、省エネ意識を高めることができる。
【００１１】
また、本発明によれば、前記機器本体の消費レベル監視手段から、前記エネルギー消費監視データとして、直近の前記第１の所定時間中に前記機器本体により消費されたエネルギーの総量を示すデータを送信することによって、前記リモコン装置の消費レベル報知手段により、前記第１の所定時間中に前記機器本体により消費されたエネルギーの総量のレベルに応じた出力態様で前記鳴動手段が鳴動される。そして、これにより、前記機器本体の運転態様により、前記機器本体のエネルギー消費レベルが頻繁に増減する場合であっても、適切なエネルギー消費レベルの指針を使用者に報知することができる。
【００１２】
また、前記機器本体の消費レベル監視手段から、前記エネルギー消費監視データとして、直近の前記第１の所定時間の経過時における単位時間あたりの前記機器本体のエネルギー消費量を示すデータを送信することによって、前記リモコン装置の消費レベル報知手段により、直近の前記第１の所定時間の経過時における単位時間あたりの前記機器本体のエネルギー消費量のレベルに応じた出力態様で前記鳴動手段が鳴動される。この場合、前記機器本体のエネルギー消費量が増加すると、それに応じて前記鳴動手段の出力態様が変化する。そのため、前記機器本体のエネルギー消費量の増加が速やかに使用者に報知され、これにより、使用者の省エネ意識を高めることができる。
【００１３】
また、前記機器本体の消費レベル監視手段から、前記エネルギー消費監視データとして、直近の前記第１の所定時間中における単位時間あたりの前記機器本体のエネルギー消費量の平均値を示すデータを送信することによって、前記リモコン装置の消費レベル報知手段により、直近の前記第１の所定時間中における単位時間あたりの前記機器本体のエネルギー消費量の平均値に応じた出力態様で前記鳴動手段が鳴動される。そして、これにより、前記機器本体の運転態様により、前記機器本体のエネルギー消費レベルが頻繁に増減する場合であっても、適切なエネルギー消費レベルの指針を使用者に報知することができる。
【００１４】
また、前記機器本体の消費レベル監視手段から、前記エネルギー消費監視データとして、前記機器本体の運転開始時から直近の前記第１の所定時間の経過時までの間に、前記機器本体により消費されたエネルギーの総量を示すデータを送信することによって、前記リモコン装置の消費レベル報知手段により、前記機器本体の運転開始時から前記機器本体により消費されたエネルギーの総量に応じた出力態様で前記鳴動手段が鳴動される。そして、これにより、使用者に運転開始時から前記機器本体により消費されたエネルギーの総量のレベルを認識させて、使用者の省エネ意識を高めることができる。
【００１５】
また、前記機器本体の消費レベル監視手段から、前記エネルギー消費監視データとして、前記機器本体の運転開始時から前記機器本体の運転開始時から直近の前記第１の所定時間の経過時までの間における単位時間あたりの前記機器本体のエネルギー消費量の平均値を示すデータを送信することによって、前記リモコン装置の消費レベル報知手段により、運転開始時からの前記機器本体によるエネルギー消費量の増減の推移に応じた出力態様で前記鳴動手段が鳴動される。そして、これにより、使用者に運転開始時からの前記機器本体のエネルギー消費量の増減のレベルを認識させて、使用者の省エネ意識を高めることができる。
【００２７】
さらに、本発明によれば、前記給湯装置により前記湯張り運転が実行されているときは、前記給湯装置におけるエネルギー消費量と給湯量が、使用者の操作によらずに前記湯張り運転の実行条件（湯張り温度や湯張り量）に応じて給湯装置により自動的に決定される。そのため、前記鳴動手段により、使用者に対して省エネ或いは節水を促す報知を行っても無意味である。そこで、前記湯張り運転の実行中は、前記消費レベル報知禁止手段により、前記消費レベル報知手段による前記鳴動手段の鳴動を禁止することによって、使用者にとって無意味で煩わしい報知がなされることを防止することができる。
【００２８】
また、前記リモコン装置は、使用者の操作に応じて、前記鳴動手段の音量を変更する音量変更手段を備えたことを特徴とする。
【００２９】
かかる本発明によれば、例えば、前記鳴動手段の音が大き過ぎて耳障りな場合に、前記音量変更手段により前記鳴動手段の音量を下げる等、使用者の好みに応じて、前記鳴動手段の音の出力レベルを変更することができるため、使用者の使い勝手を向上させることができる。
【００３０】
また、前記リモコン装置を複数個備え、各リモコン装置に前記音量変更手段を備えたことを特徴とする。
【００３１】
かかる本発明によれば、各リモコン装置の設置場所に応じて、例えば、浴室に設置されたリモコン装置においては、前記音量変更手段により前記鳴動手段の音量を大きめに設定してシャワーの使い過ぎによるエネルギー消費量や給湯量の増大を抑制する一方で、台所に設置されたリモコン装置においては、前記音量変更手段により前記鳴動手段の音量を小さめに設定して、耳障りな鳴動音により調理中の使用者に不快感を与えることを抑制することができる。
【発明を実施するための最良の形態】
【００３２】
本発明を実施するための最良の形態について、図１〜図５を参照して説明する。図１は本発明の遠隔操作システムである給湯システムの全体構成図、図２は図１に示した台所リモコンの構成図、図３は図１に示した浴室リモコンの構成図、図４は給湯装置におけるエネルギー消費監視データ及び水消費監視データの送信処理のフローチャート、図５は各リモコンにおけるガス消費レベルと湯の供給レベルの表示処理のフローチャートである。
【００３３】
図１を参照して、給湯装置４０（本発明の機器本体に相当する）は、給水管５０から供給される水をガスバーナ（図示しない）により加熱される熱交換器（図示しない）で加熱して、湯張り管５１ａ，５１ｂ及び給湯管５３に出湯するものである。給湯装置４０は、マイクロコンピュータ等により構成されて給湯装置４０の全体的な作動を制御するコントローラ４１と給水管５０から給水される水の流量（＝給湯装置４０から給湯管５３及び湯張り管５１ａ，５１ｂに供給される湯の流量）を検出する流量センサ４２とを備えている。
【００３４】
また、給湯装置４０は、台所リモコン１（本発明のリモコン装置に相当する）、浴室リモコン６０（本発明のリモコン装置に相当する）、及び洗面所等に設置される増設リモコン１００と、相互に通信可能に接続されている。
【００３５】
コントローラ４１は、給湯管５３に目標給湯温度の湯が供給されるようにガスバーナの燃焼量を制御する「給湯運転」を実行する給湯制御手段４３、湯張り管５１ａ，５１ｂと接続された浴槽５２に目標湯張り量の湯を目標湯張り温度で供給する「湯張り運転」を実行する湯張り制御手段４４、湯張り管５１ａ，５１ｂを介して浴槽５２内の湯を加熱する「追焚き運転」を実行する追焚き制御手段４５、「給湯運転」実行中の燃料ガスの消費量をガスバーナの燃焼量から算出するエネルギー消費レベル算出手段４６、エネルギー消費レベル算出手段４６により算出された燃料ガスの消費量を示すエネルギー消費監視データＥn_datと流量センサ４２の検出流量に基づく湯の供給量を示す水消費監視データＷa_datとを各リモコン１，６０，１００に送信する消費レベル監視手段４７、及び「湯張り運転」の実行中はエネルギー消費監視データＥn_datと水消費監視データＷa_datの送信を禁止して、後述する各リモコン１，６０，１００におけるエネルギー消費量と給湯量のブザー報知を禁止する消費レベル報知禁止手段４８とを備えている。また、給湯管５３の先端には、浴室に設置されて流量調節バルブ５４により給湯量が調節されるシャワー５５と、台所等に設置されたカラン５６とが接続されている。
【００３６】
次に、図２を参照して、台所リモコン１には、給湯装置４０の作動状態を表示する作動状態表示部３０と時刻を表示する時刻表示部３１等を有する表示器１０、給湯装置５０を「給湯運転」の実行が可能な運転状態と「給湯運転」の実行が不能な待機状態とに切替える運転スイッチ１１、「湯張り運転」の開始を指示する自動スイッチ１２、時刻表示部３１の点灯と時刻設定モード（現在時刻の設定が可能な現在時刻設定可能モード、予約時刻の設定が可能な予約時刻設定可能モード、及び現在時刻と予約時刻の設定が不能な時刻設定不能モード）の切替えを指示する時計スイッチ１３、現在時刻設定可能モードにおいて現在時刻を設定するとともに、予約時刻設定可能モードにおいて予約時刻を設定する時設定スイッチ１４と分設定スイッチ１５、「湯張り運転」の予約を設定する風呂予約スイッチ１６、スピーカ２１（本発明の鳴動手段に相当する）の音量を変更する音量スイッチ１８（本発明の音量変更手段に相当する）、及び給湯温度の変更を指示するＵＰスイッチ２０とＤＯＷＮスイッチ１９が備えられている。
【００３７】
また、台所リモコン１に内蔵されたコントローラ２５により台所リモコン１の作動が制御され、コントローラ２５に備えられた消費レベル報知手段２６は、給湯装置４０からエネルギー消費監視データＥn_datを受信したときに、該エネルギー消費監視データＥn_datにより示されるガス消費量のレベルを、表示器１０のガス燃焼量表示部３２（３２ａ，３２ｂ，３２ｃ）の大表示部３２ａ，中表示部３２ｂ，小表示部３２ｃのいずれかを点灯させて表示すると共に、ガス消費量のレベルに応じた出力態様でスピーカ２１からブザー音を出力する。
【００３８】
同様に、消費レベル報知手段２６は、給湯装置４０から水消費監視データＷa_datを受信したときに、該水消費監視データＷa_datにより示される給湯量のレベルを、表示器１０の給湯量表示部３３（３３ａ，３３ｂ，３３ｃ）の大表示３３ａ，中表示３３ｂ，小表示３３ｃのいずれかを点灯させて表示すると共に、給湯量のレベルに応じた出力態様でスピーカ２１からブザー音を出力する。
【００３９】
なお、運転状態においては各スイッチの操作が有効となるが、待機状態においては運転スイッチ１１以外のスイッチの操作は無効となり、使用者は自動スイッチ１２を操作して「湯張り運転」の開始指示を行うこと等をすることができない。また、増設リモコン１００の構成は、台所リモコン１と同様である。
【００４０】
次に、図３を参照して、浴室リモコン６０には、給湯温度等を表示する給湯温度表示部９０と湯張り温度等を表示する湯張り温度表示部９２と時刻表示部９１等を有する表示器７０、浴室リモコン６０による給湯温度の設定を台所リモコン１及び増設リモコン１００による給湯温度の設定に対して優先させることを指示する優先スイッチ７１、「湯張り運転」の実行を指示する自動スイッチ７２、台所リモコン１のスピーカ２１からの呼び出し音（ブザー音）の鳴動を指示する呼び出しスイッチ７３、「追焚き運転」の開始を指示する追焚きスイッチ７４、給湯温度の上げ／下げを指示する給湯温度スイッチ７６、及び「湯張り運転」における浴槽５２への給湯温度の上げ／下げを指示する風呂温度スイッチ７７が備えられている。
【００４１】
さらに、浴室リモコン６０には、ゆらぎシャワーの使用を指示するゆらぎのシャワースイッチ７８、浴槽５２への高温の湯の供給を指示するたし湯スイッチ７９、浴槽５２への水の供給を指示するぬる湯スイッチ８０、浴槽５２内の湯の保温時間の決定を指示する保温時間スイッチ８１、スピーカ８４（本発明の鳴動手段に相当する）の音量の変更を指示する音量スイッチ８２（本発明の音量変更手段に相当する）、及び給湯装置４０の運転状態と待機状態の切替えを指示する運転スイッチ８３が備えられている。
【００４２】
また、浴室リモコン６０に内蔵されたコントローラ６５により浴室リモコン６０の作動が制御され、コントローラ６５に備えられた消費レベル報知手段６６は、給湯装置４０からエネルギー消費監視データＥn_datを受信したときに、該エネルギー消費監視データＥn_datにより示されるガス消費量のレベルを、表示器７０のガス消費量表示部９３（９３ａ，９３ｂ，９３ｃ）の大表示部９３ａ，中表示部９３ｂ，小表示部９３ｃのいずれかを点灯させて表示すると共に、該ガス消費量のレベルに応じた出力態様でスピーカ６０からブザー音を出力する。
【００４３】
同様に、消費レベル報知手段６６は、給湯装置４０から水消費監視データＷa_datを受信したときに、該水消費監視データＷa_datにより示される給湯量のレベルを、表示器７０の給湯量表示部９４の大表示９４ａ，中表示９４ｂ，小表示９４ｃのいずれかを点灯させて表示すると共に、給湯量のレベルに応じた出力態様でスピーカ８４からブザー音を出力する。
【００４４】
次に、図４に示したフローチャートに従って、給湯装置４０におけるエネルギー消費監視データＥn_datと水消費監視データＷa_datの送信処理について説明する。ＳＴＥＰ１は消費レベル監視手段４７（図１参照）による処理であり、消費レベル監視手段４７は燃料ガスが使用されているか否か、すなわちガスバーナが燃焼中であるか否かを検知する。
【００４５】
そして、燃料ガスが使用されていたときはＳＴＥＰ２に進む。ＳＴＥＰ２は消費レベル報知禁止手段４８（図１参照）による処理であり、消費レベル報知禁止手段４８は「湯張り運転」の実行中であるか否かを検知する。そして、「湯張り運転」の実行中であったときはＳＴＥＰ１に分岐し、ＳＴＥＰ３以下の処理の実行を禁止する。これにより、後述するＳＴＥＰ７におけるエネルギー消費監視データＥn_datと水消費監視データＷa_datの送信がなされないため、各リモコン１，６０，１００におけるブザー音によるエネルギー消費量と給湯量の報知が禁止される。
【００４６】
ここで、「湯張り運転」は、使用者のカラン５６の操作や流量調節バルブ５４の操作によらずに、所定の湯張り温度で所定の湯張り量まで給湯が行われる。そこで、上述したように、「湯張り運転」の実行中はブザー音によるエネルギー消費量と給湯量の報知を禁止することにって、使用者がカラン５６等を操作していないにも拘らず、ガス消費量と給湯量の低減を促す報知がなされて、使用者に違和感や不快感を与えることを防止している。
【００４７】
一方、ＳＴＥＰ２で「湯張り運転」が実行されていないときにはＳＴＥＰ３に進む。ＳＴＥＰ３，ＳＴＥＰ４，ＳＴＥＰ６，ＳＴＥＰ７及びＳＴＥＰ１０は、消費レベル監視手段４７による処理であり、ＳＴＥＰ５はエネルギー消費レベル算出手段４６による処理である。
【００４８】
消費レベル監視手段４７は、ＳＴＥＰ３で３０秒タイマをスタートさせる。そして、ＳＴＥＰ４で３０秒タイマがタイムアップしていないときはＳＴＥＰ１０に分岐し、消費レベル監視手段４７は、ガス使用中であるか否かを判断し、ガス使用中でなかったときにはＳＴＥＰ１に進む。
【００４９】
一方、ＳＴＥＰ１０でガス使用中であったときにはＳＴＥＰ４に分岐し、ＳＴＥＰ４で３０秒タイマがタイムアップしたときにＳＴＥＰ５に進む。ＳＴＥＰ５において、エネルギー消費レベル算出手段４６は、３０秒（本発明の第１の所定時間、及び本発明の第２の所定時間に相当する）が経過した時点におけるガスバーナの燃焼量から単位時間あたりの燃料ガスの消費量（例えば、kcal/hour）を算出する。また、続くＳＴＥＰ６で、消費レベル監視手段４７は、３０秒が経過した時点における流量センサ４２の検出流量から給湯量を算出する。
【００５０】
そして、次のＳＴＥＰ７で、消費レベル監視手段４７は、３０秒が経過した時点における燃料ガスの消費量を示すエネルギー消費監視データＥn_datと、３０秒が経過した時点における給湯量を示す水消費監視データＷa_datとを各リモコン１，１００，６０に送信する。なお、３０秒タイマがタイムアップした時点が、本発明の第１の所定時点及び本発明の第２の時点に相当する。
【００５１】
次に、図５に示したフローチャートに従って、給湯装置４０からエネルギー消費監視データＥn_datを受信したときの浴室リモコン３の消費レベル報知手段６６による処理について説明する。なお、台所リモコン１及び増設リモコン１００が、給湯装置４０からエネルギー消費監視データＥn_datを受信したときの処理も同様である。
【００５２】
消費レベル報知手段６６（図３参照）は、ＳＴＥＰ２０でエネルギー消費監視データＥn_datを受信するとＳＴＥＰ２１に進む。そして、ＳＴＥＰ２１で、エネルギー消費監視データＥn_datからガス消費量Ｇa_cを把握し、続くＳＴＥＰ２２でガス消費量Ｇa_cが大レベルであるＬＥ２以上であるか否かを判断する。
【００５３】
ＳＴＥＰ２２で、ガス消費量Ｇa_cがＬＥ２以上であったときはＳＴＥＰ３０に分岐する。そして、消費レベル報知手段６６は、ＳＴＥＰ３０で表示器７０のガス消費量表示部９３の大表示９３ａ（図３参照）を点灯し、ＳＴＥＰ３１でスピーカ８４から「−（長音ピー） ・（短音ピッ） ・（短音ピッ） ・（短音ピッ）」の出力態様でブザー音を出力し、ＳＴＥＰ２０に戻る。
【００５４】
また、ＳＴＥＰ２２で、ガス消費量Ｇa_cがＬＥ２未満であったときはＳＴＥＰ２３に進み、消費レベル報知手段６６は、ガス消費量Ｇa_cが中レベルであるＬＥ１（＜ＬＥ２）以上であるか否かを判断する。ＳＴＥＰ２２で、ガス消費量Ｇa_cがＬＥ１以上であったときはＳＴＥＰ４０に分岐する。そして、消費レベル報知手段６６は、ＳＴＥＰ４０で表示器７０のガス消費量表示部９３の中表示９３ｂ（図３参照）を点灯し、ＳＴＥＰ４１でスピーカ８４から「−（長音ピー） ・（短音ピッ） ・（短音ピッ）」の出力態様でブザー音を出力し、ＳＴＥＰ２０に戻る。
【００５５】
また、ＳＴＥＰ２３でガス消費量Ｇa_cが中レベルであるＬＥ１未満であったときはＳＴＥＰ２４に進む。そして、消費レベル報知手段６６は、ＳＴＥＰ２４で表示器７０のガス消費量表示部９３の小表示９３ｃ（図３参照）を点灯し、ＳＴＥＰ２５でスピーカ８４から「−（長音ピー） ・（短音ピッ）」の出力態様でブザー音を出力し、ＳＴＥＰ２０に戻る。
【００５６】
以上説明したように、消費レベル報知手段６６は、エネルギー消費監視データＥn_datから把握したガス消費量Ｇa_cのレベル（大，中，小）に応じた出力態様で、ブザー８４を鳴動させる。そのため、シャワー５５を使用中の入浴者に対して、ブザー８４の鳴動パターンの相違により現時点のガス消費量を認識させることができ、これにより使用者の省エネ意識を高めてガス消費量の低減を促進することができる。
【００５７】
なお、図５では、エネルギー消費監視データＥn_datを受信したときの処理を示したが、給湯量監視データＷa_datを受信したときにも、消費レベル報知手段６６は、同様にして、水消費監視データＷa_datから把握した給湯量のレベルに応じて、表示器７０の給湯量表示部９４の大表示部９４ａ，中表示部９４ｂ，小表示部９４ｃのうちのいずれかを点灯するとともに、給湯量のレベルに応じて出力態様を変更してブザー８４を鳴動させる処理を実行する。台所リモコン１及び増設リモコン１００においても同様である。
【００５８】
また、本実施の形態では、図４に示したように、ＳＴＥＰ４で３０秒タイマがタイムアップしたときに、ＳＴＥＰ５に進んでガス消費量を算出し、ＳＴＥＰ７で給湯量を算出したが、ＳＴＥＰ３で３０秒タイマをスタートさせてからＳＴＥＰ４で該３０秒タイマがタイムアップするまでの間において消費された燃焼ガスの総量と供給された湯の総量とを算出し、該消費された燃料ガスの総量を示すデータをエネルギー消費監視データＥn_datとし、該供給された湯の総量を示すデータを水消費監視データＷa_datとして送信するようにしてもよい。
【００５９】
或いは、ＳＴＥＰ３で３０秒タイマをスタートさせてからＳＴＥＰ４で該３０秒タイマがタイムアップするまでの間における燃料ガスの消費量の平均値と給湯量の平均値とを算出し、該燃料ガスの消費量の平均値を示すデータをエネルギー消費監視データＥn_datとし、該給湯量の平均値を示すデータを水消費監視データＷa_datとして送信するようにしてもよい。
【００６０】
或いは、給湯装置４０の給湯運転が開始された時点から、ＳＴＥＰ４で３０秒タイマがタイムアップするまでの間に、給湯装置４０により消費された燃料ガスの総量と、給湯装置４０から供給された湯の総量とを算出し、該消費された燃料ガスの総量を示すデータをエネルギー消費監視データＥn_datとし、該供給された湯の総量を示すデータを水消費監視データＷa_datとして送信するようにしてもよい。
【００６１】
さらに、給湯装置４０の給湯運転が開始された時点から、ＳＴＥＰ４で３０秒タイマがタイムアップするまでの間における、給湯装置４０による単位時間あたりの燃料ガスの消費量の平均値と、給湯装置４０からの単位時間あたりの給湯量の平均値とを算出し、該燃焼ガスの消費量の平均値を示すデータをエネルギー消費監視データＥn_datとし、該給湯量の平均値を示すデータを水消費監視データＷa_datとして送信するようにしてもよい。
【００６２】
また、本実施の形態では、ガス消費量と給湯量のレベルをブザー音により報知したが、ガス消費量のレベルのみをブザー音により報知する場合であっても本発明の効果を得ることができる。また、ブザー音ではなく、音声を出力するようにしてもよい。
【００６３】
また、本実施の形態では、本発明の機器本体としてガス給湯装置を示したが、本発明の機器本体はこれに限られず、電気式の給湯装置や、温水暖房装置等の他の種類の機器本体をリモコンにより遠隔操作するシステムであっても本発明の適用が可能である。
【００６４】
また、本実施の形態では、各リモコン１，６０，１００に音量スイッチを設け、使用者の好みに応じて、各リモコンにおけるガス消費量及び給湯量のブザー音による報知の出力レベルを個別に変更できるようにしたが、該音量スイッチを設けない場合であっても本発明の効果を得ることができる。
【００６５】
さらに、リモコン１，６０，１００に設けられた音量スイッチのうちのいずれかにより、ブザー音による報知の出力レベルが変更する操作がなされたときに、全てのリモコン１，６０，１００におけるブザー音による出力レベルを連動して変更するようにしてもよい。
【図面の簡単な説明】
【００６６】
【図１】本発明の遠隔操作システムである給湯システムの全体構成図。
【図２】図１に示した台所リモコンの構成図。
【図３】図１に示した浴室リモコンの構成図。
【図４】給湯装置におけるエネルギー消費監視データ及び水消費監視データの送信処理のフローチャート。
【図５】浴室リモコンにおけるガス消費量と給湯量の表示処理のフローチャート。
【符号の説明】
【００６７】
１…台所リモコン、１８…（台所リモコンの）音量スイッチ（音量変更手段）、２１…（台所リモコンの）ブザー（鳴動手段）、２６…（台所リモコンの）消費レベル報知手段、３２…（台所リモコンの）ガス消費量表示部、３３…（台所リモコンの）給湯量表示部、４０…給湯装置（機器本体）、４６…エネルギー消費レベル算出手段、４７…消費レベル監視手段、４８…消費レベル報知禁止手段、６０…浴室リモコン、６６…（台所リモコンの）消費レベル報知手段、８２…（浴室リモコンの）音量スイッチ（音量変更スイッチ）、８４…（浴室リモコンの）ブザー（鳴動手段）、９３…（浴室リモコンの）ガス消費量表示部、９４…（浴室リモコンの）給湯量表示部
【図１】
0004510740.tif 000002
【図２】
0004510740.tif 000003
【図３】
0004510740.tif 000004
【図４】
0004510740.tif 000005
【図５】
0004510740.tif 000006